(57)【要約】【課題】  縦長のプラスチックシートやチューブに対する中間位置での溶着作業も可能な使い勝手の良い手芸又は玩具用溶着器を提供すること。【解決手段】  ケース１の上面に配置された所定長さのニクロム線９を耐熱性薄片１０にて被覆した加熱部８を設け、そのケース１に上下方向に移動可能に設けられた押え部材１５の下部を加熱部８に対して接離自在に設け、重ね合わせられたプラスチックシートの所望部位を加熱部上に載置して押え部材１５により押圧することにより該部位が溶着されるように構成された手芸又は玩具用溶着器において、加熱部８及び押え部材１５の前方に、プラスチックシートをセットするための平坦部２ａ（作業台）を設け、溶着が施されたプラスチックシートを加熱部８から押え部材１５の後方に向かって移動通過させることが可能な開放部ｏを設けた。【選択図】  図１
2006181745.tif 000002
【特許請求の範囲】
【請求項１】
ケースの上面に配置された所定長さの電熱線を耐熱性薄片にて被覆した加熱部を設け、そのケースに上下方向に移動可能に設けられた押え部材の下部を該加熱部に対して接離自在に設け、重ね合わせられたプラスチックシートの所望部位を前記加熱部上に載置して押え部材により押圧することにより該部位が溶着されるように構成された手芸又は玩具用溶着器において、
前記加熱部及び押え部材の前方に、前記プラスチックシートをセットするための作業台を設け、溶着が施されたプラスチックシートを前記加熱部から前記押え部材の後方に向かって移動通過させることが可能な開放部を設けたことを特徴とする手芸又は玩具用溶着器。
【請求項２】
前記作業台が前記ケースの一部として一体に設けられていることを特徴とする請求項１に記載の手芸又は玩具用溶着器。
【請求項３】
前記開放部を前記押え部材に形成したことを特徴とする請求項１又は２に記載の手芸又は玩具用溶着器。
【発明の詳細な説明】
【技術分野】
【０００１】
本発明は、重ね合わせられたプラスチックシートの所望箇所を溶着するための手芸又は玩具用溶着器に関する。
【背景技術】
【０００２】
従来の玩具用溶着器として、ケースの上面に直線状に配置された電熱線（ニクロム線）を耐熱性のテープ片によって覆い、そのケースに上下方向に移動可能に設けた押え部材の下部を電熱線による加熱部に対して接離自在に設け、重ね合わせられた２枚のプラスチックシートの所望部位を加熱部上に載置した状態で押さえ部材を手で押圧することにより、その部位を溶着するように構成されたものがある。その玩具用溶着器では、加熱部上に差し込まれるプラスチックシートの縁部を加熱部から少し後方に設けられたストッパー部に当接させることにより、そのシートの位置決めを行うように構成されている。
【０００３】
しかし、上記溶着器では、プラスチックシートの縁部を溶着することはできるが、例えば、縦長のプラスチックチューブに小物等を収めてその前後位置に溶着を施して密封し、ついで新たな小物等を収めて溶着を施して密封することを繰り返して小袋を連ねた包装形態とする使い方はできなかった。
【０００４】
また、プラスチックシートをセットするための作業台を備えていない溶着器の場合には、シートのセットやその他の作業が手元で円滑に行なえないという不都合があった。
【特許文献１】特開２０００−３１３０６６号公報
【発明の開示】
【発明が解決しようとする課題】
【０００５】
本発明の目的は、縦長のプラスチックシートやチューブに対する中間位置での溶着作業も可能な使い勝手の良い手芸又は玩具用溶着器を提供することにある。
【課題を解決するための手段】
【０００６】
前記目的を達成するために請求項１に記載した発明は、ケースの上面に配置された所定長さの電熱線を耐熱性薄片にて被覆した加熱部を設け、そのケースに上下方向に移動可能に設けられた押え部材の下部を該加熱部に対して接離自在に設け、重ね合わせられたプラスチックシートの所望部位を前記加熱部上に載置して押え部材により押圧することにより該部位が溶着されるように構成された手芸又は玩具用溶着器において、
前記加熱部及び押え部材の前方に、前記プラスチックシートをセットするための作業台を設け、溶着が施されたプラスチックシートを前記加熱部から前記押え部材の後方に向かって移動通過させることが可能な開放部を設けたことを特徴とする。
【０００７】
同様の目的を達成するために請求項２に記載した発明は、請求項１に記載の手芸又は玩具用溶着器において、前記作業台が前記ケースの一部として一体に設けられていることを特徴とするものである。
【０００８】
同様の目的を達成するために請求項３に記載した発明は、請求項１又は２に記載の手芸又は玩具用溶着器において、前記開放部を前記押え部材に形成したことを特徴とするものである。
【発明の効果】
【０００９】
（請求項１及び請求項３の発明）
この手芸又は玩具用溶着器は、プラスチックシートの縁部の溶着だけでなく、縦長のプラスチックシートやチューブに対する中間位置での溶着作業も可能であるので大変使い勝手が良い。加えて、加熱部の手前に作業台を備えているので、プラスチックシートのセットやその他の作業を手元で円滑に行なえるという利点がある。
【００１０】
（請求項２の発明）
この手芸又は玩具用溶着器は、作業台をケースの一部として一体に設けているので、コンパクトで量産に適する。
【発明を実施するための最良の形態】
【００１１】
以下に、本発明の最良の形態例を図面に基づいて説明する。図１は本発明の手芸用溶着器の斜視図、図２は同、平面図、図３は要部の縦断面図、図４は加熱部の説明図、図５は本発明の手芸用溶着器の電気回路図、図６はプラスチックチューブに溶着を施した包装形態の説明図である。
【００１２】
図１において、本発明の手芸用溶着器Ｈは、重ね合わせられたプラスチックシート又はプラスチックチューブの所望部位に溶着を施すものであり、アクセサリー等の小物を袋状のものに収めた形態とするために使用される。
【００１３】
この手芸用溶着器Ｈのケース１は、ほぼ矩形状とされていて、図３に示すように、二つに分割されたケース上部２とケース下部３とを合一させて図示しないビスにより締付けて一体化するように設けられている。そのケース上部２の上面は、作業台として利用される前方の平坦部２ａと、その平坦部２ａから少し高く形成された後方の平坦部２ｂとが設けられている。そのケース下部３には、乾電池３０を収容する電池室４が形成されており、図示しない蓋により該電池室４を覆うように設けられている。
【００１４】
上記ケース上部２のほぼ中央に左右方向に延びるように形成された凹部５には、耐熱性を有する薄板片７を上面に固着した受け片６が嵌着されている。８は薄板片７の上面に直線状に配置された所定長さの電熱線たるニクロム線９を耐熱性薄片１０によって被覆することにより設けられた加熱部である（図４）。
【００１５】
１１はケース上部２の平坦部２ｂの後方に取り付けられたカバー体である。このカバー体１１は、その前部１１ａを傾斜させるように形成され、その前縁部１１ｂを加熱部８から所定寸法だけ離れて位置するように設けられている。１５は上から見てほぼＵ字形の押え部材である。この押え部材１５の両側の縦杆部１５ａの内方に一体に形成された軸部１６をカバー体１１の側部１１ｃに形成された切欠部１２に夫々遊嵌することにより、当該押え部材１５は軸部１６を支点として上下方向に揺動可能に設けられている。また、カバー体１１の切欠部１３に押え部材１５の縦杆部１５ａの内方に一体に形成した突部１７を遊嵌し、ケース上部２の平坦部２ｂと縦杆部１５ａの下面との間にコイルバネ２０を装着することにより、押え部材１５が常に上方へ付勢されるように設けている。
【００１６】
上記押え部材１５とカバー体１１との間には、溶着が施されるプラスチックシート又はプラスチックチューブを加熱部８から後方に向かって移動通過させることが可能な開放部ｏを生ずるように設けられている。
【００１７】
２１は押え部材１５の横杆部１５ｂの下部に形成された凹部１８に嵌着されたゴム部材である。このゴム部材２１は、押え部材１５を手で押すことにより前記加熱部８に弾力的に接触し、その状態で押え部材１５から手を離すことにより加熱部８から上方に向かって離れるように設けられている。
【００１８】
カバー体１１には、電源スイッチ２５と、ニクロム線９に通電する時間を設定するタイマー用調整ツマミ２７と、通電中であることを点灯表示する発光ダイオード２９が配設されている。図５に示す本発明の手芸用溶着器Ｈの電気回路図において、２６はタイマー用調整ツマミ２７を備えたタイマー回路、２８は押え部材１５を加熱部８に押圧したときに接点を閉じるように設けられた安全スイッチである。
【００１９】
しかして、重ね合わせられたプラスチックシートの所望部位を加熱部８の上に載置した状態で押え部材１５にて当該シートを押圧すると、タイマー回路２６の起動によりニクロム線９に電力が供給されて当該ニクロム線９を加熱することにより該部位が溶着される本発明の手芸用溶着器Ｈが構成される。
【００２０】
つぎに、本発明の手芸用溶着器Ｈの使い方を、図６に示す縦長のプラスチックチューブａに小物等を収めて溶着を施す場合を例にして説明する。
（１）電源スイッチ２５をオン動作させてから、プラスチックチューブａの先端部を加熱部８の上に載置する。
（２）（１）の状態で押さえ部材１５により押圧操作を行なうと、安全スイッチ２８が閉じてニクロム線９に電力が供給されて当該ニクロム線９が加熱される。そして、その押圧状態を発光ダイオード２７の点灯している間保持し、タイマーの設定時間の消化により発光ダイオード２７が消灯してから押さえ部材１５から手を離す。これにより、そのプラスチックチューブａの先端部に溶着が施される。
（３）ついで、アクセサリー等の小物を収めてから適宜間隔を置いた部位を溶着して密封を施し、再び新たな小物を収めて溶着を施して密封することを繰り返せば、小袋ｂを連ねた包装形態が得られる。
【００２１】
上記の場合において、溶着が施されたチューブａの先端部分は、ケース１の上方に設けられた開放部ｏを通って後方へ送り込むことができるので、チューブａの中間部分の溶着作業を何ら支障なく円滑に行なうことができる。
【００２２】
以上に述べた通り、この手芸又は玩具用溶着器は、プラスチックシートの縁部の溶着だけでなく、縦長のプラスチックシートやチューブに対する中間位置での溶着作業も可能であるので大変使い勝手が良い。
【図面の簡単な説明】
【００２３】
【図１】本発明の手芸用溶着器の斜視図
【図２】同、平面図
【図３】要部の縦断面図
【図４】加熱部の説明図
【図５】本発明の手芸用溶着器の電気回路図
【図６】プラスチックチューブに溶着を施した包装形態の説明図
【符号の説明】
【００２４】
Ｈ・・・手芸用溶着器
１・・・ケース
２・・・ケース上部
２ａ・・・前方の平坦部（作業台に相当）
２ｂ・・・後方の平坦部
８・・・加熱部
９・・・ニクロム線（電熱線）
１０・・・耐熱性薄片
１５・・・押え部材
ｏ・・・開放部
【図１】
2006181745.tif 000003
【図２】
2006181745.tif 000004
【図３】
2006181745.tif 000005
【図４】
2006181745.tif 000006
【図５】
2006181745.tif 000007
【図６】
2006181745.tif 000008